【事件の表示】
　特願２００２−１２０２１８「ディスク記録装置、及び、ディスク記録方法」拒絶査定不服審判事件〔平成１５年１１月　７日出願公開、特開２００３−３１７３８８〕について、次のとおり審決する。
【結　論】
　本件審判の請求は、成り立たない。
【理　由】
１．手続の経緯
　
　本願は、平成１４年４月２３日に出願したものであって、平成１８年７月２６日付け拒絶理由通知に対して同年９月２８日付けで手続補正がなされたが、平成１９年２月２２日付けで拒絶査定がなされ、これに対し、同年３月２７日付けで拒絶査定不服審判が請求されたものである。
　
２．本願発明
　
　本願の請求項１乃至４に係る発明は、平成１８年９月２８日付け手続補正により補正された特許請求の範囲の請求項１乃至４に記載された事項により特定されるとおりのものと認められるところ、請求項１に係る発明（以下「本願発明」という。）は、次のとおりのものである。
　
「【請求項１】
光ディスクに対し記録を行うディスク記録装置であって、
ウォブル信号に変調され第１のデータ構成単位の先頭を示す同期信号に対する第１のタイミングと、ウォブル信号に変調されデータ構成に含まれる第１のアドレス情報と、を検出する第１の検出手段と、
トラック上の記録マークに変調され第２のデータ構成単位の先頭を示す同期信号に対する第２のタイミングと、トラック上の記録マークに変調されデータ構成に含まれる第２のアドレス情報と、を検出する第２の検出手段と、
上記第１、第２のタイミングに対する第１の選択手段と、
上記第１、第２のアドレス情報に対する第２の選択手段と、
上記第１の選択手段と上記第２の選択手段を制御する制御手段と、
を備え、
上記制御手段は、第１のタイミングが検出され、かつ、第１のアドレス情報が検出されないときには、上記第１の選択手段に第１のタイミングを選択させると共に、上記第２の選択手段に第２のアドレス情報を選択させることで、目的の記録位置に対する記録を制御することを特徴とするディスク記録装置。」
　
　なお、請求項１には「上記第２の制御手段」と記載されているが、アドレス情報を選択するのは第２の選択手段であるから、「上記第２の制御手段」は「上記第２の選択手段」の誤記と認め、本願発明を上記のように認定した。
　
３．引用例
　
　原査定の拒絶の理由に引用された、特開平１０−１１２１２７号公報（以下「引用例１」という。）には、図面とともに以下の記載がある。（下線は当審で付した。）
　
（１）「【０００１】
【発明の属する技術分野】本発明は、ＣＤ−ＭＯ（Ｃｏｍｐａｃｔ  Ｄｉｓｋ  Ｍａｇｎｅｔｏ  Ｏｐｔｉｃａｌ）、ＣＤ−ＷＯ（Ｃｏｍｐａｃｔ  Ｄｉｓｋ  Ｗｒｉｔｅ  Ｏｎｃｅ）、等の
書換え形あるいは追記形光ディスクの記録に関する。
　
（２）「【０００６】
【課題を解決するための手段】請求項１記載のリンキング手段は、絶対時間情報が含まれるＥＦＭ信号のサブコード同期信号を検出するサブコード同期検出手段と、前に得られたサブコード同期から後のサブコード同期の欠落を補うサブコード同期内挿手段と、前記サブコード同期検出手段から得られた検出サブコード同期位置と前記サブコード同期内挿手段から得られた内挿サブコード同期位置とを比較するサブコード同期一致判定手段と、該サブコード同期一致の回数をカウントするサブコード同期一致カウント手段と、ＡＴＩＰ信号の同期信号を検出するＡＴＩＰ同期検出手段と、前に得られたＡＴＩＰ同期から後の同期の欠落を補うＡＴＩＰ同期内挿手段と、前記ＡＴＩＰ同期検出手段から得られた検出ＡＴＩＰ同期位置と前記ＡＴＩＰ同期内挿手段から得られた内挿ＡＴＩＰ同期位置とを比較するＡＴＩＰ同期一致判定手段と、該ＡＴＩＰ同期一致の回数をカウントするＡＴＩＰ同期一致カウント手段と、
リンキング時にサブコード同期あるいはＡＴＩＰ同期のいずれかを選択してリンキングを行うことを判断するリンキング同期選択及び出力手段
　
（３）「【００１５】
【発明の実施の形態】以下、本発明の１実施の形態を図面を参照して説明する。
【００１６】図１は本発明の第１の実施の形態に係わる
光情報記録再生装置
記録媒体として書き換え可能な又は追記型の光ディスク
【００１７】
書換または追記型光ディスク１からピックアップ２にて読み出したデータ２ａがＲＦ回路３へ入力される。ＲＦ回路３でデータはＥＦＭ信号３ａとＡＴＩＰデコード用ウォブル信号３ｂに分別される。ＥＦＭ信号３ａはＥＦＭフレーム同期検出手段４で通常データとサブコード部分に分別される。分別されたサブコードはサブコード同期検出回路５に入力される。
　
（４）「【００２０】
ウォブル信号３ｂはＡＴＩＰ同期検出回路９に入力される。
　
（５）「【００２３】
リンキング同期選択及び出力手段１３は、サブコード同期一致カウント手段８とＡＴＩＰ同期一致カウント手段１２のカウント値からリンキングに適したリンキング同期としてサブコード検出信号及び内挿サブコード同期検出信号の論理和とＡＴＩＰ同期検出信号及び内挿ＡＴＩＰ検出信号の論理和の一方を選択する。
　
（６）「【００２６】図３はサブコードの信号フォーマットである。
サブコードは、９８フレームで１ブロックを構成し、Ｓ０及びＳ１が同期信号として定義される。つまり、サブコード同期検出手段５はこれらの信号が検出されることでサブコード同期検出と見なしそれに続くＥＦＭ復調されたサブコードをデコードする。
　
（７）「【００２９】
ＡＴＩＰ同期検出手段９は入力されるウォブル信号３ｂをＦＭ復調した後さらにバイフェーズ復調を施し、ＡＴＩＰ同期情報（４ビット）、絶対時間情報（２４ビット）、ＣＲＣ（１４ビット）情報を得る。
　
（８）「【００３３】
リンキング同期選択及び出力手段１３は、前記ＡＴＩＰ同期およびサブコード同期とリンキングポジションの関係を利用するもので、各々の検出同期と内挿同期の一致回数からリンキングに最も適した同期としてサブコード検出信号及び内挿サブコード同期検出信号の論理和とＡＴＩＰ同期検出信号及び内挿ＡＴＩＰ検出信号の論理和の一方を選択し、選択された同期を基にリンキングを行うものである。
　
（９）「【００３５】
ここで、リンキング同期選択及び出力手段１３はシーク終了からエンコード開始迄の間の一定区間の各々の同期一致回数を比較しリンキングの基となる同期を選択する。
【００３６】このシステムのＡＴＩＰ同期の終わりとサブコード同期の始まりの間隔が、０（ゼロ）ＥＦＭフレームであったとする。
同期一致回数についてＡＴＩＰ同期がサブコード同期より多くリンキング同期選択及び出力手段１３がＡＴＩＰ同期をリンキングに適した同期と判断するとＡＴＩＰ同期の終わりから２４±２ＥＦＭフレームから実際のエンコード動作を行う。逆にサブコード同期の一致回数が多い場合でサブコード同期をリンキングに適した同期と判断した場合はサブコード同期の始まりから２４±２ＥＦＭフレーム位置からエンコード動作を行う。
　
　上記摘示事項及び図面の記載を総合勘案すると、引用例１には、次の発明（以下「引用発明」という。）が記載されているものと認める。
　
「光ディスクに対し記録を行う光情報記録再生装置であって、
入力されるウォブル信号をＦＭ復調した後さらにバイフェーズ復調を施し、ＡＴＩＰ同期情報（４ビット）、絶対時間情報（２４ビット）、ＣＲＣ（１４ビット）情報を得るＡＴＩＰ同期検出手段と、
９８フレームで１ブロックを構成し、Ｓ０及びＳ１が同期信号として定義されるサブコードが入力され、Ｓ０及びＳ１が検出されることでサブコード同期検出と見なしそれに続くＥＦＭ復調されたサブコードをデコードするサブコード同期検出手段と、
ＡＴＩＰ同期およびサブコード同期の検出同期と内挿同期の一致回数からリンキングに最も適した同期としてサブコード検出信号及び内挿サブコード同期検出信号の論理和とＡＴＩＰ同期検出信号及び内挿ＡＴＩＰ検出信号の論理和の一方を選択し、選択された同期を基にリンキングを行うリンキング同期選択及び出力手段と、
を備え、
リンキング同期選択及び出力手段は、一定区間の各々の同期一致回数を比較しリンキングの基となる同期を選択し、
同期一致回数についてＡＴＩＰ同期がサブコード同期より多くリンキング同期選択及び出力手段がＡＴＩＰ同期をリンキングに適した同期と判断するとＡＴＩＰ同期の終わりから２４±２ＥＦＭフレームから実際のエンコード動作を行い、逆にサブコード同期の一致回数が多い場合でサブコード同期をリンキングに適した同期と判断した場合はサブコード同期の始まりから２４±２ＥＦＭフレーム位置からエンコード動作を行う光情報記録再生装置。」
　
　同じく、原査定の拒絶の理由に引用された２００２−５０１０９号公報（以下「引用例２」という。）には、図面とともに以下の記載がある。
　
（１０）「【０００１】
【発明の属する技術分野】本発明は、ＣＤ−Ｒ／ＲＷ、ＤＶＤ−Ｒ／ＲＷ、ＤＶＤ＋ＲＷ等の
書き込み可能な光ディスクに対する情報の記録及び再生を行う光ディスク装置に関する。
　
（１１）「【０００６】
【課題を解決するための手段】この発明に係る光ディスク装置は、データ未記録部分の絶対位置を示す絶対位置情報があらかじめ形成された、ＣＤ又はＤＶＤのデータフォーマットに準じた書き込み可能な各種光ディスクに対して、情報の記録及び再生を行う光ディスク装置において、各種光ディスクから、絶対位置情報及び該絶対位置情報の信頼性を示す信頼性情報を読み出して復調する絶対位置情報復調部と、各種光ディスクに記録されたデータから光ディスク上の位置を示す記録データ内位置情報及び該記録データ内位置情報の信頼性を示す信頼性情報を読み出して復調するデータ復調部と、
絶対位置情報復調部で復調された信頼性情報及び該データ復調部で復調された信頼性情報に応じて、絶対位置情報復調部で復調された絶対位置情報及びデータ復調部で復調された記録データ内位置情報のいずれかを光ディスクにおける現在の位置情報とする現在位置情報検出部
該現在位置情報検出部で決定された現在位置情報を基にして、光ディスクに対するデータ書き込み制御を行う書き込み制御部
　
（１２）「【００１３】
【発明の実施の形態】次に、図面に示す実施の形態に基づいて、本発明を詳細に説明する。図１は、本発明の実施の形態における光ディスク装置の構成例を示したブロック図である。なお、図１では、光ディスク装置における位置情報検出機能の構成のみを示しており、その他の構成については省略している。
【００１４】図１において、光ディスク装置１は、光ディスク２に対して回転駆動を行うスピンドルモータ３、
光ディスク２に対してデータの読み出し及び書き込みを行う光ピックアップ４、信号検出アンプ５、ＣＤデコーダ６、サブコード検出回路７、ＤＶＤデコーダ８、ＩＤ（Identification Data）検出回路９、ＡＴＩＰデコーダ１０、ＡＴＩＰ検出回路１１、ＬＰＰデコーダ１２、ＬＰＰ検出回路１３、ＡＤＩＰデコーダ１４、ＡＤＩＰ検出回路１５、現在位置検出回路１６、
　
（１３）「【００１６】
信号検出アンプ５は、光ピックアップ４によって読み出されたデータ信号を増幅し２値化した信号を、ＣＤデコーダ６及びＤＶＤデコーダ８にそれぞれ出力し、光ディスク２上にあらかじめ記録されているウォブル信号を、ＡＴＩＰデコーダ１０、ＬＰＰデコーダ１２及びＡＤＩＰデコーダ１４にそれぞれ出力する。
【００１７】
ＣＤデコーダ６は、入力されたデータ信号からＣＤのフォーマットで記録された情報を復調して、サブコード検出回路７に出力する。ＣＤでは、光ディスクに記録された情報におけるサブコードのチャネルＱに、現在の時間情報を示す時間コードが１セクタごとに記録されている。サブコード検出回路７は、入力された情報からサブコード情報の検出を行って、サブコード情報のチャネルＱから時間情報であるサブＱ時間情報ＳＱＴを得ると共に、ＣＲＣ等を用いて該サブＱ時間情報ＳＱＴのエラー検出を行う。更に、サブコード検出回路７は、得られたサブＱ時間情報ＳＱＴ及びエラー検出を行った結果を示すサブＱエラー信号ＳＱＥを現在位置検出回路１６に出力する。
　
（１４）「【００１９】
一方、ＡＴＩＰデコーダ１０は、入力されたウォブル信号からＣＤ−Ｒ／ＲＷのフォーマットで記録されたＡＴＩＰ情報を復調して、ＡＴＩＰ検出回路１１に出力する。ＡＴＩＰ検出回路１１は、入力されたＡＴＩＰ情報から光ディスク上の絶対位置情報をなす絶対時間情報（以下、ＡＴＩＰ時間情報と呼ぶ）ＡＴＩＰＴを得ると共に、ＣＲＣ等を用いて該ＡＴＩＰ時間情報ＡＴＩＰＴのエラー検出を行う。更にＡＴＩＰ検出回路１１は、得られたＡＴＩＰ時間情報ＡＴＩＰＴ及びエラー検出を行った結果を示すＡＴＩＰエラー信号ＡＴＩＰＥを現在位置検出回路１６に出力する。
　
（１５）「【００２２】
現在位置検出回路１６は、サブＱ時間情報ＳＱＴ、ＩＤ位置情報ＩＤＰ、ＡＴＩＰ時間情報ＡＴＩＰＴ、ＬＰＰ位置情報ＬＰＰＰ及びＡＤＩＰ位置情報ＡＤＩＰＰ、並びに該各情報と対応するエラー検出結果を示すサブＱエラー信号ＳＱＥ、ＩＤエラー信号ＩＤＥ、ＡＴＩＰエラー信号ＡＴＩＰＥ、ＬＰＰエラー信号ＬＰＰＥ及びＡＤＩＰエラー信号ＡＤＩＰＥから、光ディスクの種類によって、扱う情報源を変えて現在位置情報の決定を行う。
【００２３】すなわち、
現在位置検出回路１６は、ＣＤ−Ｒ／ＲＷでは、サブＱ時間情報ＳＱＴ及びＡＴＩＰ時間情報ＡＴＩＰＴ、並びに該各情報に対応したサブＱエラー信号ＳＱＥ及びＡＴＩＰエラー信号ＡＴＩＰＥから現在位置情報の決定を行う。
【００２４】
光ディスク２がＣＤ−Ｒ／ＲＷの場合、現在位置検出回路１６は、まずＡＴＩＰエラー信号ＡＴＩＰＥを参照して、ＡＴＩＰ時間情報ＡＴＩＰＴのエラーの有無を調べる。現在位置検出回路１６は、エラーが無い場合には、入力されたＡＴＩＰ時間情報ＡＴＩＰＴを現在位置情報とし、エラーが有る場合は、サブＱエラー信号ＳＱＥを参照し、サブＱ時間情報ＳＱＴのエラーの有無を調べる。サブＱ時間情報ＳＱＴにエラーが無い場合には、サブＱ時間情報ＳＱＴを現在位置情報とする。また、ＡＴＩＰ時間情報ＡＴＩＰＴ及びサブＱ時間情報ＳＱＴの両方でエラーが有る場合は、現在位置検出回路１６は、前のセクタで予測された次セクタの位置情報（すなわち現在の位置情報）を現在位置情報とする。
　
４．対比
　そこで、本願発明と引用発明とを対比する。
（１）引用発明の「光情報記録再生装置」は、「光ディスク」に対し記録を行うものであって、本願発明の「ディスク記録装置」に相当するから、本願発明と引用発明は、「光ディスクに対し記録を行うディスク記録装置」である点で共通する。
（２）引用発明の「ＡＴＩＰ同期情報（４ビット）、絶対時間情報（２４ビット）、ＣＲＣ（１４ビット）情報」は、本願発明の「第１のデータ構成単位」に相当する。引用発明の「ＡＴＩＰ同期情報」は、「ウォブル信号」に変調され、「ＡＴＩＰ同期情報（４ビット）、絶対時間情報（２４ビット）、ＣＲＣ（１４ビット）情報」の先頭を示す同期信号であり、「ＡＴＩＰ同期情報」に対するタイミングが本願発明の「第１のタイミング」に相当する。引用発明の「絶対時間情報」は、「ウォブル信号」に変調され、「ＡＴＩＰ同期情報（４ビット）、絶対時間情報（２４ビット）、ＣＲＣ（１４ビット）情報」に含まれるアドレス情報である。引用発明の「ＡＴＩＰ同期検出手段」は、「ＡＴＩＰ同期情報」に対するタイミングと「絶対時間情報」とを検出するものであるから、本願発明の「第１の検出手段」に相当する。
　したがって、本願発明と引用発明は、「ウォブル信号に変調され第１のデータ構成単位の先頭を示す同期信号に対する第１のタイミングと、ウォブル信号に変調されデータ構成に含まれる第１のアドレス情報と、を検出する第１の検出手段」を備える点で共通する。
（３）引用発明の９８フレームで構成された「１ブロック」は、本願発明の「第２のデータ構成単位」に相当する。引用発明の「Ｓ０及びＳ１」は、「ＥＦＭ信号」に変調され、９８フレームで構成された「１ブロック」の先頭を示す「同期信号」であり、「Ｓ０及びＳ１」に対するタイミングが本願発明の「第２のタイミング」に相当する。引用発明の「サブコード同期検出手段」は、「Ｓ０及びＳ１」に対するタイミングを検出するものであるから、本願発明と引用発明は、「トラック上の記録マークに変調され第２のデータ構成単位の先頭を示す同期信号に対する第２のタイミングを検出する第２の検出手段」を備える点で共通する。
（４）引用発明の「リンキング同期選択及び出力手段」は、「ＡＴＩＰ同期およびサブコード同期の検出同期と内挿同期の一致回数からリンキングに最も適した同期としてサブコード検出信号及び内挿サブコード同期検出信号の論理和とＡＴＩＰ同期検出信号及び内挿ＡＴＩＰ検出信号の論理和の一方を選択し、選択された同期を基にリンキングを行う」ものであるから、本願発明の「第１の選択手段」及び「制御手段」に相当する。
　したがって、本願発明と引用発明は、「上記第１、第２のタイミングに対する第１の選択手段と、」「上記第１の選択手段」「を制御する制御手段と、を備え、上記制御手段は、」「目的の記録位置に対する記録を制御する」点で共通する。
　
　そうすると、本願発明と引用発明との＜一致点＞＜相違点＞は次のとおりである。
　
＜一致点＞
「光ディスクに対し記録を行うディスク記録装置であって、
ウォブル信号に変調され第１のデータ構成単位の先頭を示す同期信号に対する第１のタイミングと、ウォブル信号に変調されデータ構成に含まれる第１のアドレス情報と、を検出する第１の検出手段と、
トラック上の記録マークに変調され第２のデータ構成単位の先頭を示す同期信号に対する第２のタイミングを検出する第２の検出手段と、
上記第１、第２のタイミングに対する第１の選択手段と、
上記第１の選択手段を制御する制御手段と、
を備え、
上記制御手段は、目的の記録位置に対する記録を制御するディスク記録装置。」の点。
　
＜相違点＞
（１）本願発明の「第２の検出手段」は、「トラック上の記録マークに変調されデータ構成に含まれる第２のアドレス情報」「を検出する」ものであるのに対して、引用発明は、そのように構成されていない点。
（２）本願発明は、「第１、第２のアドレス情報に対する第２の選択手段」を備え、「制御手段」が「第２の選択手段を制御する」ものであるのに対して、引用発明は、そのように構成されていない点。
（３）本願発明は、「第１のタイミングが検出され、かつ、第１のアドレス情報が検出されないときには、上記第１の選択手段に第１のタイミングを選択させると共に、上記第２の選択手段に第２のアドレス情報を選択させる」ものであるのに対して、引用発明は、そのように構成されていない点。
　
５．判断
　
　そこで、上記各相違点について検討する。
　
相違点（１）について
　光ディスクの記録に関して本願発明及び引用発明と同一の技術分野に属する引用例２には、ＣＤでは、光ディスクに記録された情報におけるサブコードのチャネルＱに、現在の時間情報を示す時間コードが１セクタごとに記録されており、サブコード検出回路は、入力された情報からサブコード情報の検出を行って、サブコード情報のチャネルＱから時間情報であるサブＱ時間情報（アドレス情報）を得ること（摘示事項（１３））が記載されているから、引用発明において、「第２の検出手段」が、「トラック上の記録マークに変調されデータ構成に含まれる第２のアドレス情報」「を検出する」ようにすることは、当業者が容易に想到できることである。
　
相違点（２）について
　引用例２には、現在位置検出回路が、ＣＤ−Ｒ／ＲＷでは、サブＱ時間情報（第２のアドレス情報）及びＡＴＩＰ時間情報（第１のアドレス情報）、並びに該各情報に対応したサブＱエラー信号及びＡＴＩＰエラー信号から現在位置情報の決定を行うこと（摘示事項（１５））が記載されているから、引用発明において、「第１、第２のアドレス情報に対する第２の選択手段」を備え、「制御手段」が「第２の選択手段を制御する」ようにすることは、当業者が容易に想到できることである。
　
相違点（３）について
　光ディスク上にあらかじめ記録されているウォブル信号からＡＴＩＰ同期が検出される場合に、検出されたＡＴＩＰ同期を選択するようにすることは、当業者が適宜なし得ることである。
　また、引用例２には、現在位置検出回路は、まずＡＴＩＰエラー信号を参照して、ＡＴＩＰ時間情報のエラーの有無を調べ、エラーが有る場合は、サブＱエラー信号を参照し、サブＱ時間情報のエラーの有無を調べ、サブＱ時間情報にエラーが無い場合には、サブＱ時間情報を現在位置情報とすること（摘示事項（１５））が記載されている。
　したがって、引用発明において、「第１のタイミングが検出され、かつ、第１のアドレス情報が検出されないときには、上記第１の選択手段に第１のタイミングを選択させると共に、上記第２の選択手段に第２のアドレス情報を選択させる」ようにすることは、当業者が容易に想到できることである。
　
　そして、上記各相違点を総合的に判断しても、本願発明が奏する効果は、引用例１及び２から当業者が十分に予測できたものであって、格別なものとはいえない。
　
６．むすび
　
　以上のとおり、本願の請求項１に係る発明は、引用例１及び２に記載された発明に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。